(57)【要約】【課題】  回線制御装置でＳＩＰ又はＴＢＣＰのメッセージに変換する機能を備えることにより、他システムへの応用が容易、システムを安価に構成できる無線システムを提供する。【解決手段】  回線制御装置２０１が、グループ通話の呼の制御を行う呼制御エンジン２０１３と、基地局１０１からメッセージを受信し、当該メッセージに対するパラメータを送信するＡＮＣＦ２０１１と、当該パラメータを受信し、そのパラメータに対応するメッセージがＩＰパケット化されたプロトコルの呼制御に関するものであれば、当該パラメータをＳＩＰのメッセージフォーマット変換し、そのパラメータに対応するメッセージが送信権の制御に関するものであれば、当該パラメータをＴＢＣＰのメッセージフォーマット変換して呼制御エンジン２０１３に送信するＰＮＰ２０１２とを有する無線システムである。【選択図】        図１
2010171956.tif 000002
【特許請求の範囲】
【請求項１】
基地局を介して移動局間の通話の制御を行う回線制御装置を備える無線システムであって、
前記回線制御装置が、通話の呼の制御を行う呼制御エンジンと、
前記基地局から通信プロトコルをＩＰパケットに変換されたメッセージを受信し、当該メッセージに対するパラメータを送信するＡＮＣＦと、
前記ＡＮＣＦからパラメータを受信し、当該パラメータに対応するメッセージがＩＰパケット化されたプロトコルの呼制御に関するものであれば、当該パラメータをＳＩＰのメッセージフォーマット変換して前記呼制御エンジンに送信し、当該パラメータに対応するメッセージが送信権の制御に関するものであれば、当該パラメータをＴＢＣＰのメッセージフォーマット変換して前記呼制御エンジンに送信するＰＮＰとを有することを特徴とする無線システム。
【請求項２】
基地局を介して移動局間の通話の制御を行うアクセスゲートウェイを備える無線システムであって、
前記アクセスゲートウェイに、通話の呼の制御を行うｐｒＣＳＣＦと、送信権の制御、音声パケットの送受信を行うＰＴエンジンとが接続され、
前記アクセスゲートウェイが、前記基地局から通信プロトコルをＩＰパケットに変換されたメッセージを受信し、当該メッセージに対するパラメータを送信するＡＮＣＦと、
前記ＡＮＣＦからパラメータを受信し、当該パラメータに対応するメッセージがＩＰパケット化されたプロトコルの呼制御に関するものであれば、当該パラメータをＳＩＰのメッセージフォーマット変換して前記ｐｒＣＳＣＦに送信し、当該パラメータに対応するメッセージが送信権の制御に関するものであれば、当該パラメータをＴＢＣＰのメッセージフォーマット変換して前記ＰＴエンジンに送信するＰＮＰとを有することを特徴とする無線システム。
【発明の詳細な説明】
【技術分野】
【０００１】
本発明は、無線携帯端末を用いたグループ通話を実現する無線システムに係り、特に、通信プロトコル変換機能を備えた回線制御装置を有する無線システムに関する。
【背景技術】
【０００２】
既存電話網で利用されている呼制御信号ＩＳＵＰ（ISDN User Part）をＳＩＰ（Session Initiation Protocol）に変換する技術については一般的に知られており、例えば、書籍「実践入門ネットワーク  実践ＳＩＰ詳解テキスト」第８章の既存電話網とＳＩＰの相互接続で解説されている（非特許文献１）。
ここで、業務用無線における通信プロトコルは、Ｑ．９３１ｂをベースとしており、例えば、ＡＲＩＢ  ＳＴＤ−Ｔ７９のようなものがある。
つまり、業務用無線の分野では、Ｑ．９３１ｂ準拠の通信プロトコルが使用されている。
【０００３】
尚、関連する先行技術として、特開２００７−３１１９０５号公報（特許文献１）がある。
特許文献１には、無線基地局装置において、呼制御ＡＰＩ（Application Program Interface）が変更されてマクロが変更される場合でも、マクロの変更に伴うパラメータやメモリサイズの変更の影響を受けないようにするための構成が示されている。
【０００４】
具体的には、特許文献１では、ベースバンド制御部とベースバンド信号処理部との間にベースバンドＡＰＩを設け、呼制御部から送られてくるマクロを予め定義されたコマンドに変換し、ベースバンド信号処理部に与えることにより、呼制御ＡＰＩの変更に伴ってマクロが変更された場合でも、それに伴うパラメータやメモリサイズの変更をベースバンドＡＰＩで吸収できる無線基地局が示されている。
【先行技術文献】
【特許文献】
【０００５】
【特許文献１】特開２００７−３１１９０５号公報
【非特許文献】
【０００６】
【非特許文献１】実践入門ネットワーク  実践ＳＩＰ詳解テキスト  澤田拓也他著、株式会社リックテレコム、２００５年１０月発行、第８章  既存電話網とＳＩＰの相互接続
【発明の概要】
【発明が解決しようとする課題】
【０００７】
しかしながら、業務用無線分野でもＩＰ（Internet Protocol）化の流れが進んでいるものの、Ｑ．９３１ｂ準拠の通信プロトコルを使用した従来の無線設備では、ＩＰ未対応であるため、上位の装置でＩＰプロトコル変換を行う必要があり、更に、呼制御に関するメッセージをＳＩＰ又はＴＢＣＰ（Talk Burst Control Protocol）に置き換え、呼制御エンジンで呼の管理を行うことが為されておらず、他システムへの応用が困難であるという問題点があった。
【０００８】
本発明は上記実情に鑑みて為されたもので、回線制御装置でＳＩＰ又はＴＢＣＰのメッセージに変換する機能を備えることにより、他システムへの応用が容易、システムを安価に構成できる無線システムを提供することを目的とする。
【課題を解決するための手段】
【０００９】
上記従来例の問題点を解決するための本発明は、基地局を介して移動局間の通話の制御を行う回線制御装置を備える無線システムであって、回線制御装置が、通話の呼の制御を行う呼制御エンジンと、基地局から通信プロトコルをＩＰパケットに変換されたメッセージを受信し、当該メッセージに対するパラメータを送信するＡＮＣＦと、ＡＮＣＦからパラメータを受信し、当該パラメータに対応するメッセージがＩＰパケット化されたプロトコルの呼制御に関するものであれば、当該パラメータをＳＩＰのメッセージフォーマット変換して呼制御エンジンに送信し、当該パラメータに対応するメッセージが送信権の制御に関するものであれば、当該パラメータをＴＢＣＰのメッセージフォーマット変換して呼制御エンジンに送信するＰＮＰとを有することを特徴とする。
【００１０】
本発明は、基地局を介して移動局間の通話の制御を行うアクセスゲートウェイを備える無線システムであって、アクセスゲートウェイに、通話の呼の制御を行うｐｒＣＳＣＦと、送信権の制御、音声パケットの送受信を行うＰＴエンジンとが接続され、アクセスゲートウェイが、基地局から通信プロトコルをＩＰパケットに変換されたメッセージを受信し、当該メッセージに対するパラメータを送信するＡＮＣＦと、ＡＮＣＦからパラメータを受信し、当該パラメータに対応するメッセージがＩＰパケット化されたプロトコルの呼制御に関するものであれば、当該パラメータをＳＩＰのメッセージフォーマット変換してｐｒＣＳＣＦに送信し、当該パラメータに対応するメッセージが送信権の制御に関するものであれば、当該パラメータをＴＢＣＰのメッセージフォーマット変換してＰＴエンジンに送信するＰＮＰとを有することを特徴とする。
【発明の効果】
【００１１】
本発明によれば、回線制御装置において、呼制御エンジンが、通話の呼の制御を行い、ＡＮＣＦが、基地局から通信プロトコルをＩＰパケットに変換されたメッセージを受信し、当該メッセージに対するパラメータを送信し、ＰＮＰが、ＡＮＣＦからパラメータを受信し、当該パラメータに対応するメッセージがＩＰパケット化されたプロトコルの呼制御に関するものであれば、当該パラメータをＳＩＰのメッセージフォーマット変換して呼制御エンジンに送信し、当該パラメータに対応するメッセージが送信権の制御に関するものであれば、当該パラメータをＴＢＣＰのメッセージフォーマット変換して呼制御エンジンに送信する無線システムとしているので、回線制御装置で汎用のＳＩＰ又はＴＢＣＰメッセージを用いた管理が可能となり、他のシステムへの応用ができると共に安価なシステムを構築できる効果がある。
【００１２】
本発明によれば、アクセスゲートウェイに、通話の呼の制御を行うｐｒＣＳＣＦと、送信権の制御、音声パケットの送受信を行うＰＴエンジンとが接続され、アクセスゲートウェイにおいて、ＡＮＣＦが、基地局から通信プロトコルをＩＰパケットに変換されたメッセージを受信し、当該メッセージに対するパラメータを送信し、ＰＮＰが、ＡＮＣＦからパラメータを受信し、当該パラメータに対応するメッセージがＩＰパケット化されたプロトコルの呼制御に関するものであれば、当該パラメータをＳＩＰのメッセージフォーマット変換してｐｒＣＳＣＦに送信し、当該パラメータに対応するメッセージが送信権の制御に関するものであれば、当該パラメータをＴＢＣＰのメッセージフォーマット変換してＰＴエンジンに送信する無線システムとしているので、アクセスゲートウェイで汎用のＳＩＰ又はＴＢＣＰメッセージを用いた管理が可能となり、他のシステムへの応用ができると共に安価なシステムを構築できる効果がある。
【図面の簡単な説明】
【００１３】
【図１】本発明の実施の形態に係る無線システムの構成ブロック図である。
【図２】本システムのシーケンスを示す図である。
【図３】位置登録要求ＡＮＣＦ−ＰＮＰ送受信パラメータを示す図である。
【図４】送信権獲得要求ＡＮＣＦ−ＰＮＰ送受信パラメータを示す図である。
【図５】送信権表示要求ＡＮＣＦ−ＰＮＰ送受信パラメータを示す図である。
【図６】送信権受付ＡＮＣＦ−ＰＮＰ送受信パラメータを示す図である。
【図７】送信権解放要求ＡＮＣＦ−ＰＮＰ送受信パラメータを示す図である。
【図８】送信権解放通知ＡＮＣＦ−ＰＮＰ送受信パラメータを示す図である。
【図９】別の実施形態に係る無線システムの構成ブロック図である。
【図１０】立ち上げ処理シーケンスを示す図である。
【図１１】位置登録シーケンスを示す図である。
【図１２】個別通信接続シーケンスを示す図である。
【図１３】位置登録削除シーケンスを示す図である。
【図１４】個別通話切断シーケンスを示す図である。
【図１５】個別通話  通話制限時間タイマ満了のシーケンスを示す図である。
【発明を実施するための形態】
【００１４】
本発明の実施の形態について図面を参照しながら説明する。
［実施の形態の概要］
本発明の実施の形態に係る無線システムは、グループ通話を実現する無線システムであって、通信プロトコルを基地局でＩＰパケットに変換し、回線制御装置でＩＰパケット化されたＱ．９３１ｂ準拠プロトコル（以下、Ｑ．９３１ｂ＋overＩＰ）の呼制御に関するメッセージをＳＩＰに変換し、また、送信権のやり取りに関しては、ＯＭＡ（Open Mobile Alliance）のＰｏＣ（Push to Talk over Cellular）に規定されているＴＢＣＰに変換し、音声／データに関してはＲＴＰ（Real-time Transport Protocol）  ＵＤＰ／ＩＰ（User Datagram Protocol／Internet Protocol）を用いて送受信するものであり、回線制御装置で汎用のＳＩＰ又はＴＢＣＰメッセージを用いた呼制御のメッセージ管理が可能となるため、従来の移動局、基地局等の無線設備を継続して使用可能となり、他システムへの応用が可能となって、汎用のハードウェアで回線制御装置を実現できるため、安価なシステムにすることができる。
【００１５】
［無線システム：図１］
本発明の実施の形態に係る無線システムについて図１を参照しながら説明する。図１は、本発明の実施の形態に係る無線システムの構成ブロック図である。
本発明の実施の形態に係る無線システム（本システム）は、図１に示すように、移動局１，２と、基地局１０１と、回線制御装置（ＬＣＵ：Line Control Unit）２０１とを基本的に有している。
尚、図１では、紙面の都合上、２台の移動局を示したが、実際は複数台の移動局が基地局１０１に無線接続可能となっている。
【００１６】
［各部］
本システムの各部について具体的に説明する。
［移動局１，２］
移動局１，２は、グループ内の移動局に対して通話を行うための無線機となるプレストーク端末又は電話端末であり、通話を開始又は停止するためのプレストークボタン３０１，３０２を備えている。
また、移動局１，２は、表示部を備え、グループ内のどの移動局が送信権を保有しているのかを表示する。
【００１７】
［基地局１０１］
基地局（ＢＳ）１０１は、メッセージのＩＰ化を行うＩ／Ｆ基板１０１１を備えている。
Ｉ／Ｆ基板１０１１は、送信権確認要求等のメッセージをＱ．９３１ｂ＋overＩＰメッセージに変換して回線制御装置２０１のＡＮＣＦ２０１１に送信する。
また、Ｉ／Ｆ基板１０１１は、ＡＮＣＦ２０１１から受信したＱ．９３１ｂ＋overＩＰメッセージをＱ．９３１ｂ＋メッセージに変換し、移動局に送信する。
【００１８】
［回線制御装置２０１］
回線制御装置２０１は、アクセスネットワーク制御機能手段（ＡＮＣＦ：Access Network Controlling Function）２０１１と、プライベート・ネットワーク・クライアント・プロキシー手段（ＰＮＰ：Private Network Client Proxy）２０１２と、呼の制御を行う呼制御エンジン２０１３とを備えている。
【００１９】
［ＡＮＣＦ２０１１］
ＡＮＣＦ２０１１は、基地局１０１からの要求、ＰＮＰ２０１２からの要求に応じて、基地局１０１が収容する移動局とＰＮＰ２０１２との間のアクセスリンクの確立、解放を行う。
具体的には、ＡＮＣＦ２０１１は、基地局１０１から受信したＱ．９３１ｂ＋overＩＰメッセージに対して送受信パラメータをＰＮＰ２０１２に送信する。
【００２０】
また、ＡＮＣＦ２０１１は、ＰＮＰ２０１２から受信した送受信パラメータをＱ．９３１ｂ＋overＩＰメッセージとして基地局１０１に送信する。
ＡＮＣＦ２０１１の処理動作の詳細は、後述する。
【００２１】
［ＰＮＰ２０１２］
ＰＮＰ２０１２は、移動局１，２及び基地局１０１に対するメディアフローの制御（帯域割り当て、フィルタリング、ＱｏＳ（Quality of Service）マーキング等）を行う。
具体的には、ＰＮＰ２０１２は、ＡＮＣＦ２０１１から受信した送受信パラメータをＳＩＰのメッセージフォーマットに挿入する変換を行い、呼制御エンジン２０１３のｐｒＣＳＣＦ（Private Call Session Control Function）に送信する。
また、ＰＮＰ２０１２は、ＡＮＣＦ２０１１から受信した送受信パラメータをＴＢＣＰのメッセージフォーマットに挿入する変換を行い、呼制御エンジン２０１３のＰＴＣＦに送信する。
【００２２】
また、ＰＮＰ２０１２は、呼制御エンジン２０１３のＰＴＣＦから受信したＴＢＣＰのメッセージをＱ．９３１ｂ＋overＩＰメッセージに変換して、抽出した送受信パラメータをＡＮＣＦ２０１１に送信する。
ＰＮＰ２０１２における処理動作の詳細は、後述する。
【００２３】
［呼制御エンジン２０１３］
呼制御エンジン２０１３は、ｐｒＣＳＣＦ（private Call Session Control Function：プライベート・コール・セッション制御手段）とＰＴＣＦ（Press-Talk Server Controlling Function：プレストーク・サーバ制御手段）とを備えている。
【００２４】
［ｐｒＣＳＣＦ］
ｐｒＣＳＣＦは、ＳＩＰセッションの基本制御を行うものであり、移動局からの通信要求メッセージがアプリケーションの起動条件に合致した場合、適切なアプリケーションサーバにメッセージを転送する。
【００２５】
［ＰＴＣＦ］
ＰＴＣＦは、プレストークサービス用のアプリケーションサーバにより実現され、グループメンバの呼び出し、送信権の管理、ＰＴ（Press-Talk）音声パケットの複製と転送を行う。
具体的なｐｒＣＳＣＦとＰＴＣＦの処理動作は、後述する。
【００２６】
［本システムのシーケンス：図２〜図８］
次ぎに、本システムにおいて、業務用無線機の移動局１が移動局２と通信を行うためのシーケンスについて図２〜８を参照しながら説明する。
図２は、本システムのシーケンスを示す図であり、図３は、位置登録要求ＡＮＣＦ−ＰＮＰ送受信パラメータを示す図であり、図４は、送信権獲得要求ＡＮＣＦ−ＰＮＰ送受信パラメータを示す図であり、図５は、送信権表示要求ＡＮＣＦ−ＰＮＰ送受信パラメータを示す図であり、図６は、送信権受付ＡＮＣＦ−ＰＮＰ送受信パラメータを示す図であり、図７は、送信権解放要求ＡＮＣＦ−ＰＮＰ送受信パラメータを示す図であり、図８は、送信権解放通知ＡＮＣＦ−ＰＮＰ送受信パラメータを示す図である。
【００２７】
［位置登録シーケンス：図２，３］
図２に示すように、本システムにおいて、まず、移動局１が電源投入されると（電源ＯＮ）、基地局１０１では、移動局１から受け取った情報から回線制御装置２０１に位置登録要求メッセージを送信する（ステップ１、図２では単純に「１．」で表示、以下同様）。
【００２８】
回線制御装置２０１のＡＮＣＦ２０１１は、受信した位置登録要求メッセージに対して図３に示す位置登録要求ＡＮＣＦ−ＰＮＰ送受信パラメータをＰＮＰ２０１２に送信する（ステップ２）。
位置登録要求ＡＮＣＦ−ＰＮＰ送受信パラメータは、図３に示すように、メッセージ名が「位置登録要求」、パラメータには「移動局番号」を含んでいる。
【００２９】
そして、ＰＮＰ２０１２は、ＡＮＣＦ２０１１から位置登録要求ＡＮＣＦ−ＰＮＰ送受信パラメータを受信すると、ＳＩＰメッセージであるＲＥＧＩＳＴＥＲメッセージを作成し、呼制御エンジン２０１３に送信する（ステップ３）。
【００３０】
呼制御エンジン２０１３のｐｒＣＳＣＦは、ＲＥＧＩＳＴＥＲメッセージを受信し、位置登録を行い、ＰＮＰ２０１２に位置登録了解（２００ＯＫ）を返信する（ステップ４）。
これにより、位置登録シーケンス処理が終了する。
【００３１】
［送信権確認シーケンス：図２，４］
次ぎに、位置登録が終了した移動局１で通話を開始するためのプレストークボタン３０１が押下されると、移動局１から基地局１０１にプレストークボタン押下の情報（プレスオン）が送信され、基地局１０１は、他の移動局が通話をしていないか確認するために、送信権確認要求メッセージをＩ／Ｆ基板１０１１においてＱ．９３１ｂ＋overＩＰメッセージに変換し、回線制御装置２０１へ送信する（ステップ５）。
【００３２】
回線制御装置２０１のＡＮＣＦ２０１１は、基地局１０１からＱ．９３１ｂ＋overＩＰメッセージを受信すると、送信権確認のため、当該メッセージに対して図４に示す送信権獲得要求ＡＮＣＦ−ＰＮＰ送受信パラメータをＰＮＰ２０１２に送信する（ステップ６）。
送信権獲得要求ＡＮＣＦ−ＰＮＰ送受信パラメータは、図４に示すように、メッセージ名が「送信権確認要求」、パラメータには「グループ番号」「発信者ＩＤ」を含んでいる。
【００３３】
ＰＮＰ２０１２は、ＴＢＣＰのTalk Burst Request メッセージを作成し、呼制御エンジン２０１３に送信する（ステップ７）。
呼制御エンジン２０１３のＰＴＣＦは、Talk Burst Request メッセージを受信すると、他に通話を行っている移動局がいるかいないかを判定する。
【００３４】
［送信権表示シーケンス：図２，５］
そして、呼制御エンジン２０１３のＰＴＣＦは、判定により、他に通話を行っている移動局がいない場合には、Talk Burst Taken メッセージをＰＮＰ２０１２に送信する（ステップ８）。
【００３５】
ＰＮＰ２０１２は、ＰＴＣＦからTalk Burst Taken メッセージを受信すると、Ｑ．９３１ｂ＋overＩＰメッセージに変換し、当該メッセージに対して図５に示す送信権表示要求ＡＮＣＦ−ＰＮＰ送受信パラメータをＡＮＣＦ２０１１に送信する（ステップ９）。
送信権表示要求ＡＮＣＦ−ＰＮＰ送受信パラメータは、図５に示すように、メッセージ名が「送信権表示」、パラメータには「グループ番号」「送信権獲得者ＩＤ」を含んでいる。
【００３６】
そして、ＡＮＣＦ２０１１は、ＰＮＰ２０１２から受信した送信権表示要求ＡＮＣＦ−ＰＮＰ送受信パラメータを送信権表示要求メッセージとして基地局１０１に送信する（ステップ１０）。
【００３７】
基地局１０１のＩ／Ｆ基板１０１１においてＱ．９３１ｂ＋メッセージに変換し、全基地局経由で全移動局に向けて送信する。本メッセージを受信した移動局は、移動局１の送信権を表示部に表示し、プレス禁止となり、通話要求を行うことができなくなる。
【００３８】
［送信権受付シーケンス：図２，６］
送信権を獲得した移動局１に対して、呼制御エンジン２０１３のＰＴＣＦがTalk Burst Granted メッセージをＰＮＰ２０１２に送信する（ステップ１１）。
そして、ＰＮＰ２０１２は、ＰＴＣＦからのTalk Burst Granted メッセージを受信すると、Ｑ．９３１ｂ＋overＩＰメッセージに変換し、当該メッセージに対して図６に示す送信権受付ＡＮＣＦ−ＰＮＰ送受信パラメータをＡＮＣＦ２０１１に送信する（ステップ１２）。
送信権受付ＡＮＣＦ−ＰＮＰ送受信パラメータは、図６に示すように、メッセージ名が「送信権受付」、パラメータには「グループ番号」を含んでいる。
【００３９】
そして、ＡＮＣＦ２０１１は、ＰＮＰ２０１２から受信した送信権受付ＡＮＣＦ−ＰＮＰ送受信パラメータを送信権受付メッセージとして、送信権を獲得した移動局１のいる基地局１０１に返信する（ステップ１３）。
上記手順を踏むことにより、移動局１と移動局２との間が通信可能（通話確立）状態となり、移動局２において、移動局１の音声をスピーカから聞くことができる。
【００４０】
［送信権解放要求シーケンス：図２，７］
移動局１の通話が終了し、移動局１のプレスボタン３０１を離す（プレスオフ）と、基地局１０１のＩ／Ｆ基板１０１１において送信権解放要求のＱ．９３１ｂ＋overＩＰメッセージに変換し、回線制御装置２０１に送信する（ステップ１４）。
【００４１】
回線制御装置２０１のＡＮＣＦ２０１１は、Ｑ．９３１ｂ＋overＩＰメッセージを受信すると、送信権解放のため、当該メッセージに対して図７に示す送信権解放要求ＡＮＣＦ−ＰＮＰ送受信パラメータをＰＮＰ２０１２に送信する（ステップ１５）。
送信権解放要求ＡＮＣＦ−ＰＮＰ送受信パラメータは、図７に示すように、メッセージ名が「送信権解放要求」、パラメータには「グループ番号」「発信者ＩＤ」を含んでいる。
【００４２】
ＰＮＰ２０１２は、ＡＮＣＦ２０１１から送信権解放要求ＡＮＣＦ−ＰＮＰ送受信パラメータを受信すると、ＴＢＣＰのTalk Burst Release メッセージを作成し、呼制御エンジン２０１３に送信する（ステップ１６）。
【００４３】
［送信権解放通知シーケンス：図２，８］
呼制御エンジン２０１３のＰＴＣＦは、Talk Burst Release メッセージをＰＮＰ２０１２から受信すると、その応答として、Talk Burst Idle メッセージをＰＮＰ２０１２に送信する（ステップ１７）。
【００４４】
ＰＮＰ２０１２は、ＰＴＣＦからTalk Burst Idle メッセージを受信すると、送信権解放通知のＱ．９３１ｂ＋overＩＰメッセージに変換し、当該メッセージに対して図８に示す送信権解放通知ＡＮＣＦ−ＰＮＰ送受信パラメータをＡＮＣＦ２０１１に送信する（ステップ１８）。
送信権解放通知ＡＮＣＦ−ＰＮＰ送受信パラメータは、図８に示すように、メッセージ名が「送信権解放通知」、パラメータには「グループ番号」を含んでいる。
【００４５】
そして、ＡＮＣＦ２０１１は、ＰＮＰ２０１２から受信した送信権解放通知ＡＮＣＦ−ＰＮＰ送受信パラメータを送信権解放通知メッセージとして、基地局１０１に送信する（ステップ１９）。
【００４６】
ＡＮＣＦ２０１１から送信権解放通知メッセージを受信した基地局１０１は、基地局１０１のＩ／Ｆ基板１０１１においてＱ．９３１ｂ＋メッセージに変換し、移動局１及び移動局２にプレス可能信号を送信する。本メッセージを受信した移動局は、プレス可能となり、通話要求を行うことができるようになる。
尚、本発明の実施の形態は、個別通話を実現する無線システムにも適用可能である。
【００４７】
［本システムの効果］
従来の業務用無線システムでは、専用の回線制御装置で専用の呼の管理を行っていたが、本システムによれば、汎用のＳＩＰ又はＴＢＣＰメッセージを用いて呼制御に関するメッセージを管理することにより、他システムへの応用が容易になり、更に汎用のハードウェアで回線制御装置を実現することができるため、安価なシステムを構築できる効果がある。
【００４８】
［個別通話へ適用した別の実施形態の概要］
次に、個別通話へ適用した別の実施形態の無線システムについて説明する。
別の実施の形態に係る無線システムは、単一チャネルの無線通信を前提とした本システムを、複数チャネルを使って個別通話を実現するシステムに適用したものであり、本システムの回線制御装置２０１をアクセスゲートウェイ、ＰＴ（Press-Talk）エンジン、ｐｒＣＳＣＦに分離して、複数チャネルに対応可能としたものである。
【００４９】
［別の実施形態の無線システム：図９］
個別通話へ適用した別の実施形態の無線システムについて図９を参照しながら説明する。図９は、別の実施形態に係る無線システムの構成ブロック図である。
本発明の別の実施形態に係る無線システム（別のシステム）は、図９に示すように、移動局１，２と、基地局１０１と、アクセスゲートウェイ（ＡＧＷ：Access Gateway）２１１と、ＰＴエンジン４０１と、ｐｒＣＳＣＦ４０２とを基本的に備えている。
別のシステムにおいては、ＴＤＭＡ（Time Division Multiple Access：時分割多元接続）を前提に時分割されたチャネルを用いて無線通信を行うものとなっている。
【００５０】
［別のシステムの各部］
移動局１，２は、プレストークボタン３０１，３０２を備えている。
基地局１０１は、メッセージのＩＰ化を行うＩ／Ｆ基板１０１１を備えている。
尚、移動局１，２と、基地局１０１は、図１で説明した本システムのものと同様である。
【００５１】
［ＡＧＷ２１１］
ＡＧＷ２１１は、ＡＮＣＦ２１１１とＰＮＰ２１１２とを備えている。ＡＮＣＦ２１１１は、図１のＡＮＣＦ２０１１と同様であり、ＰＮＰ２１１２は図１のＰＮＰ２０１２とほぼ同様である。
つまり、ＡＮＣＦ２１１１は、基地局から通信プロトコルをＩＰパケットに変換されたメッセージを受信し、当該メッセージに対するパラメータをＰＮＰ２１１２に送信する。
ＰＮＰ２１１２は、ＡＮＣＦ２１１２からパラメータを受信し、当該パラメータに対応するメッセージがＩＰパケット化されたプロトコルの呼制御に関するものであれば、当該パラメータをＳＩＰのメッセージフォーマット変換してｐｒＣＳＣＦ４０２に送信し、当該パラメータに対応するメッセージが送信権の制御に関するものであれば、当該パラメータをＴＢＣＰのメッセージフォーマット変換してＰＴエンジン４０１に送信する。
【００５２】
但し、ＰＮＰ２１１２は、基地局からの接続要求メッセージを受け付けると、ｐｒＣＳＣＦ４０２にチャネルを確保するＩＮＶＩＴＥ処理を行い、チャネルが確保されると、基地局にチャネル指定メッセージを送信してから、送信権確認の処理が行われるようになっている。処理の詳細は後述する。
【００５３】
［ＰＴエンジン４０１］
ＰＴ（Press-Talk）エンジン４０１は、プレストークサービス用のアプリケーションサーバにより実現され、送信権の管理制御、ＰＴ（Press-Talk）音声パケットの複製と転送（音声データの送受信）を行う。
【００５４】
［ｐｒＣＳＣＦ４０２］
ｐｒＣＳＣＦ４０２は、図１のｐｒＣＳＣＦと同様に、ＳＩＰセッションの基本制御、つまり、呼制御を行うものであり、移動局からの通信要求メッセージがアプリケーションの起動条件に合致した場合、適切なアプリケーションサーバにメッセージを転送する。
また、ｐｒＣＳＣＦ４０２は、ＡＧＷ２１１のＰＮＰ２１１２からのＩＮＶＩＴＥメッセージに対して空きチャネルの確保を行い、チャネル確保をＡＧＷ２１１に送信する。
【００５５】
［別のシステムの処理動作］
別のシステムにおいて、業務用無線において基地局１０１の配下に属する移動局１，２と通信をするための下記の「立ち上げ」「位置登録」「個別通話接続」「位置登録削除」「個別通話切断」「個別通話切断」「個別通話  通話制限時間タイマ満了」の処理シーケンスについて説明する。
【００５６】
［立ち上げ処理シーケンス：図１０］
立ち上げ処理シーケンスについて図１０を参照しながら説明する。図１０は、立ち上げ処理シーケンスを示す図である。
まず、移動局１，２が通信を始める前に、基地局１０１の立ち上げを行う必要がある。
【００５７】
基地局１０１からｓｅｑ１−１．ＴＣＰ接続要求メッセージ（シグナリング制御用）をＡＧＷ２１１に送信する。
ＡＧＷ２１１は、ｓｅｑ１−２．ＴＣＰ接続応答メッセージ（シグナリング制御用）を基地局１０１に送信する。
【００５８】
次に、ＡＧＷ２１１から定期的に送信される基地局の安否を確認するｓｅｑ１−３．基地局安否要求メッセージを基地局１０１に送信すると、基地局１０１は、基地局の安否を応答するｓｅｑ１−４．基地局安否応答メッセージをＡＧＷ２１１に返信する。
基地局安否要求メッセージと基地局安否応答メッセージには、基地局番号と呼（登録番号）情報数等のパラメータが含まれている。
【００５９】
基地局安否応答メッセージを受けたＡＧＷ２１１は、基地局を立ち上げるためのｓｅｑ１−５．基地局アップロード情報メッセージ、基地局の起動を要求するｓｅｑ１−６．基地局起動要求メッセージ、制御チャネルの起動を要求するｓｅｑ１−７．制御チャネル起動要求メッセージ、ｓｅｑ１−８．報知情報メッセージを受けて基地局１０１に送信し、立ち上げ動作が終了する。
【００６０】
これら各メッセージには、基地局番号のパラメータが含まれている。
また、基地局アップロード情報メッセージには、基地局が立ち上がるための情報のパラメータが含まれ、制御チャネル起動要求メッセージには、チャネル番号、起動／停止の情報等のパラメータが含まれ、報知情報メッセージには、コマンド＋通信タイプ、通信情報、発呼端末番号等のパラメータが含まれる。
【００６１】
［位置登録シーケンス：図１１］
位置登録シーケンスについて図１１を参照しながら説明する。図１１は、位置登録シーケンスを示す図である。
立ち上げの終わった基地局１０１に対して、移動局１，２が電源を入れると位置登録を開始する。
【００６２】
移動局１，２の電源オンにより、端末（移動局）状態を登録するための端末状態登録メッセージが基地局１０１に送信されると、基地局１０１は、ｓｅｑ２−１．端末状態登録メッセージをＡＧＷ２１１に送信する。端末状態登録メッセージには、コマンド、通信タイプ、通信情報、発呼端末番号、基地局番号等のパラメータが含まれている。
ＡＧＷ２１１のＡＮＣＦ２１１１とＰＮＰ２１１２によりＳＩＰに変換を行い、ｐｒＣＳＣＦ４０２に端末の位置を登録するためのｓｅｑ２−２．ＲＥＧＩＳＴＥＲメッセージをｐｒＣＳＣＦ４０２に送信する。
【００６３】
ＲＥＧＩＳＴＥＲメッセージを受けたｐｒＣＳＣＦ４０２で位置登録が正常に為されると、位置登録が正常に為されたことを示すｓｅｑ２−３．２００ＯＫメッセージをＡＧＷ２１１に送信する。
ＡＧＷ２１１は、２００ＯＫメッセージを解析し、位置登録が為されたことを示すｓｅｑ２−４．応答メッセージに変換して基地局１０１に送信して、位置登録を完了する。応答メッセージには、コマンド、通信タイプ、通信情報、発呼端末番号、要求端末番号、応答内容、基地局番号等のパラメータが含まれている。
【００６４】
［個別通信接続：図１２］
個別通信接続シーケンスについて図１２を参照しながら説明する。図１２は、個別通信接続シーケンスを示す図である。
位置登録が終わった移動局は、個別通信が可能となる。次に、移動局１がプレストークボタン３０１を押し、個別通信が可能となり、移動局２で音声を受信するまでの処理シーケンスを説明する。
【００６５】
移動局１が、プレストークボタン３０１をオンしてＰＴＴ（Push to Talk）をオンにすると、接続要求メッセージを受信した基地局１０１は、通話のための接続を要求するｓｅｑ３−１．接続要求メッセージをＡＧＷ２１１に送信する。
ＡＧＷ２１１内のＡＮＣＦ２１１１とＰＮＰ２１１２で、ＳＩＰに変換を行い、通話で利用するチャネルの割り当てを要求するｓｅｑ３−２．ＩＮＶＩＴＥメッセージをｐｒＣＳＣＦ４０２に送信する。
別のシステムでは、ＴＤＭＡ方式で時分割の複数チャネルを前提としているため、このＩＮＶＩＴＥメッセージに関する処理が本システムにはない特徴的な処理である。
【００６６】
ＩＮＶＩＴＥメッセージを受けたｐｒＣＳＣＦ４０２は、処理中を示すｓｅｑ３−３．１００ＴｒｙｉｎｇメッセージをＡＧＷ２１１に返信する。その後、ｐｒＣＳＣＦ４０２でＩＮＶＩＴＥ（チャネル割り当ての呼設定）が正常処理されると、チャネル割り当ての呼設定が成功したことを示すｓｅｑ３−４．２００ＯＫメッセージをＡＧＷ２１１に送信する。
【００６７】
２００ＯＫメッセージを受信したＡＧＷ２１１は、メッセージを解析し、割り当てられたチャネルを指定するｓｅｑ３−５．チャネル指定メッセージを基地局１０１に送信し、ｐｒＣＳＣＦ４０２にｓｅｑ３−６．ＡＣＫを送信する。チャネル指定メッセージには、登録番号、コマンド、通信情報、発呼端末番号、着信者情報、通話制限時間、チャネルコード、基地局番号等のパラメータが含まれる。
【００６８】
ｓｅｑ３−５．チャネル指定メッセージを受信した基地局１０１は、送信権を確認するためのｓｅｑ３−７．送信権確認メッセージをＡＧＷ２１１に送信する。
ＡＧＷ２１１内部では、ＴＢＣＰに変換を行い、送信権を要求するｓｅｑ３−８．Talk Burst Request メッセージとしてＰＴエンジン４０１に送信する。
【００６９】
ＰＴエンジン４０１で正常処理されると、送信権が取得されたことを示すｓｅｑ３−９．Talk Burst Taken メッセージ、送信権が付与されたことを示すｓｅｑ３−１１．Talk Burst Granted メッセージをＡＧＷ２１１に送信する。
それぞれのメッセージを受信したＡＧＷ２１１は、メッセージを解析し、ｓｅｑ３−９．Talk Burst Taken メッセージをｓｅｑ３−１０．送信権表示メッセージに変換し、立ち上げ処理が終わって、かつ個別通話接続要求を出している移動局が属する基地局以外の基地局に対して送信し、ｓｅｑ３−１１．Talk Burst Granted メッセージをｓｅｑ３−１２．送信権受付メッセージとして基地局１０１に送信する。送信権表示メッセージと送信権受付メッセージには、動作プリミティブ、基地局番号、チャネル番号、登録番号、呼出符号等のパラメータが含まれている。
【００７０】
その後、移動局１から音声パケットが送信されると、基地局１０１からｓｅｑ３−１３．音声パケットがＰＴエンジン４０１に送信され、ＰＴエンジン４０１内で折り返された音声パケットがｓｅｑ３−１４．音声パケットとして基地局１０１の配下の移動局２に配信される。
【００７１】
移動局１がプレストークボタン３０１を放し、ＰＴＴをオフにすると、基地局１０１から送信権の解放を要求するｓｅｑ３−１５．送信権解放メッセージがＡＧＷ２１１に送信される。
ＡＧＷ２１１の内部で、ＴＢＣＰに変換を行い、送信権の解放を要求するｓｅｑ３−１６． Talk Burst Release メッセージをＰＴエンジン４０１に送信する。
ＰＴエンジン４０１で送信権解放の処理が正常に為されると、送信権がアイドル状態であることを示すｓｅｑ３−１６．Talk Burst Idle メッセージをＡＧＷ２１１に送信し、ＡＧＷ２１１の配下の基地局全てに送信権の解放を表示するｓｅｑ３−１８．送信権解放表示メッセージ、ｓｅｑ３−１９．送信権解放表示メッセージが送信され、移動局１からの個別通話が終了したことを示すものである。送信権解放表示メッセージには、動作プリミティブ、基地局番号、チャネル番号、登録番号等のパラメータが含まれている。
【００７２】
［位置登録削除：図１３］
位置登録削除シーケンスについて図１３を参照しながら説明する。図１３は、位置登録削除シーケンスを示す図である。
移動局が電源を切ると位置登録削除処理が行われる。
移動局の電源がオフになると、基地局にｓｅｑ４−１．端末状態登録メッセージが送信される。
【００７３】
そして、基地局１０１は、端末登録要求をＡＧＷ２１１に送信する。
ＡＧＷ２１１は、内部でＳＩＰに変換を行い、ｓｅｑ４−２．ＲＥＧＩＳＴＥＲメッセージをｐｒＣＳＣＦ４０２に送信する。
ＲＥＧＩＳＴＥＲメッセージを受信したｐｒＣＳＣＦ４０２で、位置登録削除が正常に為されると、ｓｅｑ４−３．２００ＯＫメッセージをＡＧＷ２１１に送信する。
【００７４】
ＡＧＷ２１１は、２００ＯＫメッセージを解析し、位置登録削除が為されたことを示すｓｅｑ４−４．応答メッセージに変換し、基地局１０１に送信して、位置登録削除を完了する。
【００７５】
［個別通話切断：図１４］
個別通話切断シーケンスについて図１４を参照しながら説明する。図１４は、個別通話切断シーケンスを示す図である。
図１２で説明したように、ＰＴＴ（Push to Talk）をオフにすると送信権の解放が行われ、個別通話は終了するが、無線リソースを解放するためには電源ボタンにより無線リソースを解放する処理を行う必要がある。ここで、個別通話が終了し、無線リソースを解放するための切断の処理を説明する。
個別通話接続シーケンスで、移動局１が無線リソースを獲得した場合は、個別通話切断シーケンスも移動局１から起動する必要がある。
【００７６】
移動局１が電源ボタンを押下することにより、ｓｅｑ５−１〜ｓｅｑ５−６の送信権確認シーケンスが行われる。この処理は、個別通話接続シーケンスで述べた処理と同様である。
移動局１が送信権を獲得していることを確認できたら、次に、基地局１０１から個別通話切断を要求するｓｅｑ５−７．切断要求メッセージをＡＧＷ２１１に送信する。
ＡＧＷ２１１は、内部でＳＩＰに変換を行い、個別通話切断を要求するｓｅｑ５−８．ＢＹＥメッセージをｐｒＣＳＣＦ４０２に送信する。
【００７７】
ＢＹＥメッセージを受信したｐｒＣＳＣＦ４０２で個別通話切断の処理が正常に為されると、個別通話切断が成功したことを示すｓｅｑ５−９．２００ＯＫメッセージをＡＧＷ２１１に送信する。
ＡＧＷ２１１は、２００ＯＫメッセージを解析し、切断要求に応答するｓｅｑ５−１０．切断応答メッセージ、個別通話切断を行ったことを示すｓｅｑ５−１１．切断メッセージに変換して基地局１０１に送信し、個別通話切断を完了する。
【００７８】
［個別通話  通話制限時間タイマ満了：図１５］
個別通話  通話制限時間タイマ満了のシーケンスについて図１５を参照しながら説明する。図１５は、個別通話  通話制限時間タイマ満了のシーケンスを示す図である。
このシーケンスは、個別通話接続シーケンスで移動局１が無線リソースを獲得した場合であって、一定時間無通話の期間があったり、予め設定されている通話制限時間タイマが満了した場合に、適用されるものである。
【００７９】
ｐｒＣＳＣＦ４０２は、通話制限時間タイマを備えており、当該タイマで通話制限時間が満了すると、個別通話切断を通知するｓｅｑ６−１．ＢＹＥメッセージをＡＧＷ２１１に送信する。
ＡＧＷ２１１は、ＢＹＥメッセージを解析し、個別通話切断を行ったことを示すｓｅｑ６−２．切断メッセージに変換して基地局１０１に送信し、更にＢＹＥメッセージへの応答となるｓｅｑ６−３．２００ＯＫメッセージをｐｒＣＳＣＦ４０２に送信する。
これにより、通話制限時間によって無線リソースを解放するものである。
【００８０】
［応用技術］
別のシステムについて、デジタル移動無線通信システムを用いて説明したが、有線系で構築されるシステムにも適用可能である。
また、別のシステムは、デジタル移動無線通信システム以外の他の移動通信システムに適用してもよい。
【００８１】
［別のシステムの効果］
従来の業務用無線システムでは、専用の回線制御装置で専用の呼の管理を行っていたが、別のシステムによれば、アクセスゲートウェイで汎用のＳＩＰ又はＴＢＣＰメッセージを用いて呼制御に関するメッセージに変換し、管理することにより、他システムへの応用が容易になり、更に汎用のハードウェアでアクセスゲートウェイを実現することができるため、安価なシステムを構築できる効果がある。
【産業上の利用可能性】
【００８２】
本発明は、回線制御装置又はアクセスゲートウェイでＳＩＰ又はＴＢＣＰのメッセージに変換する機能を備えることにより、他システムへの応用が容易、システムを安価に構成できる無線システムに好適である。
【符号の説明】
【００８３】
１…移動局、  ２…移動局、  １０１…基地局、  ２０１…回線制御装置（ＬＣＵ）、  ２１１…アクセスゲートウェイ（ＡＧＷ）、  ３０１，３０２…プレストークボタン、  １０１１…Ｉ／Ｆ基板、  ２０１１，２１１１…ＡＮＦＣ、  ２０１２，２１１２…ＰＮＰ、  ２０１３…呼制御エンジン、  ４０１…ＰＴエンジン、  ４０２…ｐｒＣＳＣＦ
【図１】
2010171956.tif 000003
【図２】
2010171956.tif 000004
【図３】
2010171956.tif 000005
【図４】
2010171956.tif 000006
【図５】
2010171956.tif 000007
【図６】
2010171956.tif 000008
【図７】
2010171956.tif 000009
【図８】
2010171956.tif 000010
【図９】
2010171956.tif 000011
【図１０】
2010171956.tif 000012
【図１１】
2010171956.tif 000013
【図１２】
2010171956.tif 000014
【図１３】
2010171956.tif 000015
【図１４】
2010171956.tif 000016
【図１５】
2010171956.tif 000017